(57)【要約】【課題】側面衝突時、ドアトリムの折曲角による乗員の受傷を防止する。【解決手段】ドア本体とドアトリムの間に折曲部材を設ける。折曲部材は、着座している乗員より前方に設け、側面衝突時、ドアトリムを乗員の前方で折曲する。これにより、ドアトリムは、所定の広さを有する面の状態で乗員に当接し、ドアトリムの折曲角が当接することによる乗員の受傷を防止できる。【選択図】図１
2010260510.tif 000002
【特許請求の範囲】
【請求項１】
車両の室内に配置されるシートの車幅方向側方に設けられ、前記車両の側方開口部を開閉する車両用ドアにおいて、
ドア本体と、
前記ドア本体の車室側の側面に組み付けられたドアトリムと、
前記ドア本体のベルトライン近傍で該ドア本体に取り付けられ、前記ドアトリムで覆われると共に前記ドア本体が車室側に変形された際に前記ドアトリムに当接して前記ドアトリムを折曲させるように形成された折曲部材と、を備え、
前記折曲部材は、前記シートに着座する乗員の着座範囲より前方に設けられていることを特徴とする車両用ドア。
【請求項２】
前記ドア本体は、ドアアウタパネルと、該ドアアウタパネルの車室側に設けられたベルトラインリインフォースと、該ベルトラインリインフォースの車室側に設けられたドアインナパネルと、を備え、
前記折曲部材は、前記ドアインナパネルに設けられていることを特徴とする請求項１に記載の車両用ドア。
【請求項３】
前記折曲部材は、ドア本体に固定される基片と、該基片から所定の高さに設けられた上片からなるクランク状で、前記上片の端部で前記ドアトリムを折曲させることを特徴とした請求項１又は２に記載の車両用ドア。
【請求項４】
前記折曲部材は、ドア本体に固定される基片と、該基片から所定の高さに設けられた上片からなるハット状で前記上片の端部の折曲部で前記ドアトリムを折曲させることを特徴とした請求項１又は２に記載の車両用ドア。
【発明の詳細な説明】
【技術分野】
【０００１】
本発明は、側面衝突に対応し、ドアトリムの折曲角による乗員の受傷を防止した車両用ドア構造に関する。
【背景技術】
【０００２】
車両用ドアには、補強用にベルトラインリインフォースメントやインパクトバー等が設けられている。これらにより車両用ドアは剛性を高め、側面衝突された場合やスリップしてドア部分が電柱などに当たった場合などにおいて、車両用ドアの車室内への侵入を防止し、乗員を保護するようになっている。
【０００３】
また車両用ドアには、車室側にドアトリムが設けられている。ドアトリムは、通常合成樹脂などからなり、ドア本体に樹脂製ピンなどで取り付けられている。
【先行技術文献】
【特許文献】
【０００４】
【特許文献１】特開２００５−２１２５９８号公報
【発明の概要】
【発明が解決しようとする課題】
【０００５】
側面衝突などにおいて車両用ドアが車室側に変形されると、車両用ドアの変形とともにドアトリムが折曲されることがある。例えば衝突物が柱状で、径が比較的細い場合、衝突物が乗員に向かって接近して、車両用ドアに衝突すると、車両用ドアの湾曲に伴い折曲されたドアトリムの角が乗員に向かって形成されることがある。すると、ドアトリムの折れ曲がった角が乗員に当たり、仮に車両用ドアの変形が小さい場合でも、ドアトリムの角で乗員が受傷してしまうことが考えられる。
【課題を解決するための手段】
【０００６】
上記の課題を解決するために、本発明にかかる車両用ドアは、次のように構成した。ドアトリムに対向したドア本体の所定位置に、ドアトリムを折り曲げる折曲部材を設け、衝突時に乗員の前方でドアトリムを折曲させることとした。具体的には、ドアトリムが乗員に向かって折曲されるような状態で衝突物が車両用ドアに衝突した場合において、乗員より前方の位置でドアトリムが折り曲げられるように、ドア本体とドアトリムの間に折曲部材を設ける。
【発明の効果】
【０００７】
本発明にかかる車両用ドアは、車両用ドアの側方に設けられたシートに着座している乗員に向かって衝突物が車両用ドアに衝突すると、折曲部材によりドアトリムが、少なくとも乗員の前方で折曲される。すると衝突によりドアトリムが乗員に当接した場合でも、乗員にはドアトリムが折り曲げられて形成された角ではなく、面の状態で当接し、ドアトリムの折曲角が乗員に当たることによる乗員の受傷を防止できる。
【図面の簡単な説明】
【０００８】
【図１】本発明にかかる突片の一実施例を示す斜視図である。
【図２】車両用ドアを示す分解斜視図である。
【図３】ドアインナパネルを示す断面図である。
【図４】ドアインナパネルの他の例を示す断面図である。
【図５】車両用ドアを示す平面図である。
【図６】突片の作用を示す車両用ドアの平面図である。
【図７】突片の他の例を示す斜視図である。
【図８】車両を示す斜視図である。
【発明を実施するための形態】
【０００９】
本発明にかかる車両用ドアの一実施形態について説明する。  
図２に車両用ドア１０を示す。車両用ドア１０は、図８に示す車両１２の前方に組み付けられた前ドアで、ヒンジ３０により車体側方に開閉自在に取り付けられている。以下、車両用ドア１０について、車両１２の進行方向を前方、その逆を後方とし、前後方向を基準に左右を定め、重力の方向を下方、その逆を上方として説明する。
【００１０】
車両用ドア１０は、ドア本体２１とドアトリム２２などから構成されている。ドア本体２１は、ドアアウタパネル１４と、ドアインナパネル１６と、ベルトラインリインフォース１８と、衝撃吸収棒２０などから構成されている。ドアアウタパネル１４は、車両１２の外側に位置し、ドアハンドル２４などが設けられている。
【００１１】
ドアアウタパネル１４の車室側には、ドアインナパネル１６が設けられている。ドアインナパネル１６は、車内ドアハンドル２６の取り付け孔３２や、整備用の孔３４などが形成されている。図３に、ドアインナパネル１６の断面を示す。ドアインナパネル１６の車外側には、ベルトラインリインフォース１８が設けられている。ベルトラインリインフォース１８は、補強部材で、ドア窓２８の下端に沿って設けられ、ドア本体２１に所定の強度をもたらしている。
【００１２】
衝撃吸収棒２０は、図２に示すように棒状の部材で、ドアアウタパネル１４とドアインナパネル１６の間に、前後方向に沿って設けられている。ドアトリム２２は、合成樹脂材などからなり、車内ドアハンドル２６を通す取出孔２３や、ドアポケット６６やスピーカ孔６８などが適宜設けられている。ドアトリム２２は、防水シート（図示せず。）などを挟んで、ドアインナパネル１６に樹脂製ピン（図示せず。）などにより着脱自在に組み付けられている。尚、これらドアアウタパネル１４、ドアインナパネル１６、ベルトラインリインフォース１８、衝撃吸収棒２０、ドアトリム２２は、いずれも従来の車両用ドアを構成しているものと同様のものでよい。
【００１３】
図５に車両用ドア１０を上方から見た状態を示す。車両用ドア１０の前方は、ヒンジ３０を介してＡピラー６０に回動自在に取り付けられ、後方は、ラッチ（図示せず。）を介してＢピラー６２に係脱可能に嵌合している。
【００１４】
車両用ドア１０の車室側には乗員用のシート４０が設けられている。シート４０は、座面４２と背当て部４４を具え、前後調節機構（図示せず。）により座面４２の前後位置が変更できるように取り付けられている。また、背当て部４４は、角度調節機構（図示せず。）により、座面４２に対して前後方向に角度が変更可能となっている。
【００１５】
前後調節機構は、乗員Ａの体格やシート配列などを考慮して、シート４０の可動範囲を大きく設定している場合があるが、本発明では、シート４０は、着座した乗員Ａが自然に乗車していられる状態に配置されているものとする。したがって乗員Ａの着座位置は、シート４０を極端に前方や後方に移動させたり、背当て部４４を後方に大きく寝かせたりして、不自然な状態で乗員Ａが着座している状態ではないこととする。この範囲内を、シート４０における乗員Ａの着座範囲とする。シート４０の位置は、衝突試験等に定められた乗員の着座位置等に従うのもよい。
【００１６】
更にドアインナパネル１６には、図１に示すように折曲部材としての突片３が設けられている。突片３は、金属片からなり、基片としての前片５と上片としての後片７からクランク状に形成されている。突片３の前片５は、ドアインナパネル１６上で、ドアインナパネル１６の車外側にベルトラインリインフォース１８が取り付けられている面内に、溶接やねじ止め等により固定されている。
【００１７】
後片７は、ドアインナパネル１６の表面から室内側に所定の間隔離れて、ほぼドアインナパネル１６と平行に配置されている。後片７の後端は、長手方向に対してほぼ垂直に形成されており、折曲端部９を形成している。
【００１８】
折曲端部９は、所定の強度を有し、図５に示すように乗員Ａがシート４０に着座したときの着座位置より前方に位置している。また折曲端部９は、ドアトリム２２の内面に近接して設けられている。折曲端部９は、ドアトリム２２の内面に直接接していてもよいが、振動や摩擦等が発生する観点から、ドアトリム２２との間に間隙を形成したほうが好ましい。更に折曲端部９は、車両用ドア１０が車室内側に変形すると、ドアトリム２２を内側から折り曲げ、ドアトリム２２の所定位置に折り曲げ部を形成する。折曲端部９の高さ（ドアインナパネル１６の表面からの距離。）および突片３の強度等は、ドア本体２１の強度やドアトリム２２の折れ曲がり易さ、形状などを考慮して適宜設定する。
【００１９】
次に、折曲端部９の取り付け位置について具体的に説明する。折曲端部９は、次のような条件を満たす位置に設けられている。シート４０は、通常のシートアレンジの範囲内で設定され、乗員Ａは、シート４０に通常に着座しているものとする。かかる状態で、衝突物Ｘが乗員Ａの中心に向かって接近してきたとき、乗員Ａの中心と衝突物Ｘを結ぶ直線ｂより前方に折曲端部９が位置している。したがって折曲端部９は、車両用ドア１０の前後長、および衝突物Ｘの想定衝突角度によって位置が定められる。
【００２０】
本発明に関して、衝突物Ｘの車両用ドア１０に対する衝突角度は、衝突によって乗員Ａに損傷を与えるほど車両用ドア１０が変形されるか否かなどの想定範囲から設定する。したがって乗員Ａに損傷を与えることがないほど、衝突物Ｘが浅い角度で車両用ドア１０と衝突する場合等は考慮しない。また衝突物Ｘの形状、特に衝突物Ｘが柱状の場合の半径は、ドアトリム２２に先鋭な折り曲げ部を形成させるか否かで判断する。例えば車両用ドア１０の全体を凹ませ、ドアトリム２２に先鋭な折り曲げ部を形成させないものは一応考慮しない。また衝突物Ｘは、車両１２の斜め前方からのみでなく、垂直方向、更には斜め後方から衝突することも考慮するものとする。
【００２１】
次に、車両用ドア１０の側面衝突時の作用について説明する。
【００２２】
例えば車両１２がスリップして電柱に側面から衝突したり、他の車両が側方から車両１２に衝突してきたとする。すると、ドアアウタパネル１４、ベルトラインリインフォース１８、ドアインナパネル１６、更には衝撃吸収棒２０が場合により変形し、車室内に侵入する。しかも、ドアインナパネル１６が、湾曲の頂部を乗員Ａに向けて変形してきたとする。
【００２３】
これによりドアトリム２２は、折り曲げ力を受ける。ところがドアトリム２２は、ドア本体２１の周縁で固定された状態で、突片３からの押圧力を受けて折り曲げられる。すなわち、衝突物Ｘの衝突により車両用ドア１０、特にドアインナパネル１６のベルトラインリインフォース１８付近が車室内に侵入すると、図６に示すように折曲端部９でドアトリム２２が屈曲される。
【００２４】
折曲端部９は、乗員Ａより前方に設けられているので、ドアトリム２２には、折曲端部９とドアトリム２２の周縁、あるいはその近傍との間で、ある程度の横幅を有する平面Ｐ（曲面も含む。）が形成され、かかる平面Ｐが乗員Ａに当接することとなる。これにより、ドアトリム２２が折り曲げられて形成された角の先端部分が、乗員Ａに当接することを防止し、ドアトリム２２の折曲角による乗員Ａの受傷を防ぐことができる。したがって、側面衝突時における車両１２の乗員保護性能を向上させることができる。
【００２５】
また車両用ドア１０は、突片３をドアインナパネル１６の所定位置に固定するのみでよく、簡易な工程で、かつ低コストで実現できる。また、ドア本体２１が衝突により変形を生じさせないほど強度を向上させる必要がなく、コスト上昇や、重量増加による燃費の悪化などを生じさせない。
【００２６】
図７に、折曲部材としての突片の他の例を示す。この突片１１は、上片１５の両側に基片１３を具え、ハット状に形成されている。基片１３をドアインナパネル１６に固定し、上片１５をドアインナパネル１６から所定間隔離して設ける。また突片１１の上片１５は、ドアトリム２２の内側に近接して設けられ、かつ上片１５の少なくとも後方には折曲部１７が形成されている。折曲部１７は、折曲端部９と同様所定の強度と、所定の端面形状を有し、ドアトリム２２を折り曲げるに十分に形成されている。
【００２７】
突片１１は、上述した突片３の場合と同様の位置に折曲部１７を具え、ドアトリム２２に折り曲げ部が折曲部１７により形成される。このように突片１１を形成しても、乗員Ａの前方にドアトリム２２の折り曲げ部を形成させ、先鋭な折り曲げ部の当接による乗員Ａの受傷を防止することができる。
【００２８】
尚、上記例では車両１２の助手席側の車両用ドアを例に説明したが、本発明にかかる車両用ドアは、かかるドアに限るものではなく、乗員用シートの側方に設けられたドアであれば用いることができる。また突片３等を、ドアインナパネル１６とベルトラインリインフォース１８が重ね合わせられた箇所に取り付けたが、突片３等をドアインナパネル１６の他の箇所に取り付けてもよい。また、ドアトリム２２の、突片３等による折り曲げ部分に、折り曲げ溝などの弱化部分を形成してもよい。また、突片３等の車両後方側の端部でドアトリム２２を折曲することとしたが、突片３の折曲端部９等を車両前方側に設定してもよい。
【００２９】
更にドア本体２１が、図４に示すようにドアインナパネル１６の車室側にベルトラインリインフォース１８を設けた構成の場合には、突片３等をベルトラインリインフォース１８に直接取り付けてもよい。このように構成しても、上述したと同様の効果を得ることができる。
【産業上の利用可能性】
【００３０】
本発明は、車両の側方に設けられた乗員乗降用のドアに用いることができる。
【符号の説明】
【００３１】
３、１１…突片
９…折曲端部
１０…車両用ドア
１２…車両
１４…ドアアウタパネル
１６…ドアインナパネル
１８…ベルトラインリインフォース
２１…ドア本体
２２…ドアトリム
４０…シート
６０…Ａピラー
６２…Ｂピラー
Ａ…乗員
Ｘ…衝突物
Ｐ…平面
【図１】
2010260510.tif 000003
【図２】
2010260510.tif 000004
【図３】
2010260510.tif 000005
【図４】
2010260510.tif 000006
【図５】
2010260510.tif 000007
【図６】
2010260510.tif 000008
【図７】
2010260510.tif 000009
【図８】
2010260510.tif 000010